(57)【要約】【課題】　オフィス空間内でデスク等の家具を自由に移動，配置しても、その移動先で使用するＯＡ機器類の電源，信号ラインを容易かつ迅速に離，接することができる一方、そこで使用するデスク等のオフィス家具には従来品のような配線ダクトや配線取出口を一切不要にできるオフィス用の電源，信号ラインの取出し装置を提供すること。【解決手段】　オフィス内の床に位置可変に立設される柱状体１と電源ケーブルVcと信号ケーブルScを収納できるように形成された横杆体９を組合せて自立型の配線ダクトに形成した。【選択図】図20
2004140998.tif 000002
【特許請求の範囲】
【請求項１】
　オフィス内の床に位置可変に立設される柱状体と電源ケーブルと信号ケーブルを収納できるように形成された横杆体を組合せて自立型の配線ダクトに形成したことを特徴とするオフィス空間における電源，信号ラインの取出装置。
【請求項２】
　横杆体は、電源ケーブルとコネクタ、信号ケーブルとコネクタを収納できる溝部を具備するか、又は、溝状部材により形成した請求項１のオフィス空間における電源，信号ラインの取出装置。
【請求項３】
　少なくとも左右の柱状体とケーブルを収納できる横杆体は、接続部材を介して略門型に組合せて自立型の配線ダクトに形成し、前記横杆体を床面に平行に配設した請求項１又は２のオフィス空間における電源，信号ラインの取出装置。
【請求項４】
　柱状体と横杆体の組合せにより形成される配線ダクトは、前記横杆体を連接するとき、中間の柱状体を共用して形成した請求項１〜３のいずれかのオフィス空間における電源，信号ラインの取出装置。
【請求項５】
　横杆体にはその上方又は下方にスクリーンやパネルを設けた請求項１〜４のいずれかのオフィス空間における電源，信号ラインの取出装置。
【請求項６】
　横杆体の上面には天板支持ブラケットを介して天板を設けた請求項１〜５のいずれかのオフィス空間における電源，信号ラインの取出装置。
【請求項７】
　柱状体はその下部に安定部材を設けた請求項１〜６のいずれかのオフィス空間における電源，信号ラインの取出装置。
【請求項８】
　柱状体と横杆体を組合せて形成した配線ダクトによる電源，信号ラインの取出装置は、前記横杆体に沿って位置又は配向を任意に選択してデスク又はテーブルを当接又は近接させて配置できるように形成した請求項１〜７のいずれかのオフィス空間における電源，信号ラインの取出装置。
【発明の詳細な説明】
【技術分野】
【０００１】
　本発明は、オフィス空間内において使用場所を変えて使用されるコンピュータ，ワードプロセッサ，電話，ファクシミリ，照明等の電子，電気機器（以下、これらをＯＡ機器という）の電源ライン及び信号ライン、又は、いずれか一方のライン（以下、これを電源，信号ラインという）を、オフィス空間内に任意の場所に配置されるデスクの上であっても自由自在に離接することができるようにしたオフィス用のＯＡ機器の電源，信号ラインの取出システムに関する。
【背景技術】
【０００２】
　従来、オフィス空間内に配置されるデスク等のオフィス設備は、例えば、会社組織の中の部課制を単位として、部屋単位、或は、間仕切等で仕切った業務空間を形成し、各業務空間単位でデスクやキャビネット等の必要なオフィス家具を、ほぼ固定的に配置して形成されていた。
【０００３】
　一方、最近のオフィスでは、コンピュータの導入により、いわゆる情報化が進み、オフィスワーカーの作業形態，オフィス空間も含めた作業環境，オフィス家具そのものについても大きな変化に見舞われている。
　即ち、オフィスワークにとってパーソナルコンピュータは、その様々な機能、例えば、文書作成，計算，通信、それらのネットワーク化によるコミュニケーション等の多様な機能により、今やオフィス業務にはなくてはならないものになっており、一人一台は必要となってきている。そして、これらに対応すべく、コンピュータやその他のＯＡ機器を置くためのデスク等の家具は、コンピュータ等のＯＡ機器の電源配線や情報配線のためのケーブルを収納するため配線ダクトを設けたり、コンピュータ等のＯＡ機器を載置するために天板を大形化して益々大型化，複雑化している。
【０００４】
　しかしながら、上記のようにコンピュータの機能が向上し、オフィスへの導入が進んだ結果、オフィスのワーク形態にも大きな変化が起きており、今後それがますます大きくなることが予想される。
　即ち、まず、コンピュータにより、様々な諸雑務が合理化されることによって、より生産性が高く質も高い知的ワークが求められよう。また、その場で対面していなくともコンピュータ等を通したコミュニケーションが円滑に行われる結果、従来の縦割りの組織が必要なくなり、より効率的な業務形態をとることが可能なフラットな組織、そして、臨機応変に目的を達成するためのプロジェクトチームなどによるワークスタイル等が増えてくると思われる。
　これらの様々なワークスタイルは、ワークの内容に応じた最適のオフィス環境が望まれるわけであり、しかもその環境は常に様々な変化に対応できる自由さ、即ち、フレキシビリティをもっていることが必要となる。
　しかしながら、これまでのオフィス家具は、上述したようにデスクや間仕切等の家具自体に配線機能を取り込み、これらを固定的に配置する使用形態であったために、今後予想される使用中のコンピュータ等のＯＡ機器とそれを載置した家具の移動を伴うフレキシブルなオフィス環境の設定やワーク形態の実現には全くといってよい程対応できないのが現状である。
【０００５】
　即ち、オフィス空間内で、人事異動や配置替えなどにより、デスクを移動させるには、そのデスク内の配線ダクトに取込まれている床や壁等からの電源，信号ラインを一旦切り離し、そのデスクの移動先で再接続しなければならず、また、ＯＡ機器類だけを移動させる場合、移動先に電源，信号ラインのコンセント等のコネクタがなければ、新ためてその電源，信号ラインを手配する必要があるからである。
【０００６】
　しかし、上記のようにワーク形態の変更等に応じてオフィス空間内で自由に移動できるように形成されたデスクやキャビネットに対し、その上で使用するＯＡ機器類の電源，信号ラインの接続形態をどのようにするかは、未だ解決されていない。
【発明の開示】
【発明が解決しようとする課題】
【０００７】
　本発明は以上のような点に鑑み、オフィス空間内でデスク等の家具を自由に移動，配置しても、その移動先で使用するＯＡ機器類の電源，信号ラインを容易かつ迅速に離，接することができる一方、そこで使用するデスク等のオフィス家具には従来品のような配線ダクトや配線取出口を一切不要にできるオフィス用の電源，信号ラインの取出し装置を提供することを課題とするものである。
【課題を解決するための手段】
【０００８】
　上記課題を解決することを目的としてなされた本発明の電源，信号ラインの取出装置の構成は、オフィス内の床に位置可変に立設される柱状体と電源ケーブルと信号ケーブルを収納できるように形成された横杆体を組合せて自立型の配線ダクトに形成したことを特徴とするものである。
【０００９】
　本発明において、前記横杆体は、電源ケーブルとコネクタ、信号ケーブルとコネクタを収納できる溝部を具備するか、又は、溝状部材により形成したものであり、また、少なくとも左右の柱状体とケーブルを収納できる横杆体は、接続部材を介して略門型に組合せて自立型の配線ダクトに形成し、前記横杆体を床面に平行に配設した構成とする。
【００１０】
　上記において、柱状体と横杆体の組合せにより形成される配線ダクトは、前記横杆体を連接するとき、中間の柱状体を共用して形成にすることができる。
【００１１】
　更に、上記横杆体にはその上方又は下方にスクリーンやパネルを設けた構成とすることもできる。
【００１２】
　また、上記横杆体の上面には天板支持ブラケットを介して天板を設けた構成とすることもできる。更に、前記柱状体はその下部に安定部材を設けたものを使用することがある。
【００１３】
　本発明では、柱状体と横杆体を組合せて形成した配線ダクトによる電源，信号ラインの取出装置は、前記横杆体に沿って位置又は配向を任意に選択してデスク又はテーブルを当接又は近接させて配置できるように形成したされる。
【発明の効果】
【００１４】
　オフィス空間内に、そこで使用するＯＡ機器の電源，信号ラインを自由に離接することができる電源，信号ラインを形成するケーブルを収納するように形成した横杆体による配線ダクトを前記電源，信号の取出ラインとして配設したので、この取出ラインに対し、例えば天板の高さを自由に設定できるように形成した天板の大きさが種々異なるデスク等を選択し、かつ、選択したデスク等を自由な配向で任意の位置に移動させて配置することにより、種々のワーク形態に対応するためのワークブースを、任意かつ容易に形成することができる。
【発明を実施するための最良の形態】
【００１５】
　次に、本発明の実施の形態について図に拠り説明する。図１〜図４は、全体として大略ポール状をなす電源，信号ラインの取出ポイントを形成する柱状体の例をそれぞれ示した斜視図、図５は図１〜図４に使用した柱状体の平断面図、図６は図１〜図４に例示した柱状体と図７に断面を示した横杆体の組合せにより形成した本発明電源，信号ライン取出装置の一例を示す斜視図、図７は図６の横杆体の側断面図、図８は柱状体と横杆体の接続構造の一例を示す側面図、図９はジョイントカバーの側面図、図10と図11はジョイント部材の形態例を示す斜視図、図12は本発明電源，信号ラインの取出装置の別例の正面図、図13は図12の平面図、図14は図12の左側面図、図15は図１〜図５で説明した柱状体と図７の横杆体により平面矩形状のワークブースの枠状体に形成した電源，信号ラインの取出装置の別例の斜視図、図16は本発明装置における柱状体の別例の平断面図、図17は本発明装置における横杆体の別例の側断面図、図18は図16の柱状体と図17の横杆体の結合形態の一例を説明するための斜視図、図19は柱状体と横杆体の他の例の結合形態を示す斜視図、図20は図16の柱状体と図17の横杆体とを組合せて形成した本発明取出装値の他の形態を例示した斜視図、図21は本発明電源，信号ラインの取出装置の別の形態例を示した斜視図、図22は図17の横杆体における溝状部材の側面を開閉自在の蓋構造にした例の断面図、図23は横杆体の２つの溝状部材を入れ子式構造とした例の断面図、図24は図18に示した本発明取出装置に、余長コード収納用のコードリールとシート状覆板を配備した例の斜視図、図25は図24のコードリールの取付態様の一例の要部を示す平断面図、図26は柱状体と横杆体の結合において、横杆体の平面配向角を任意の角度に設定できる構造の一例を示す斜視図、図27は図16の柱状体の安定板にキャスタを設け、当該柱状体を移動，定置可能に構成した例の斜視図、図28は図18に示した本発明装置における横杆体を伸縮自在の構造にした例の斜視図、図29は本発明電源，信号ラインの取出装置に対して使用するデスクの一例の正面図、図30は図29の左側面図、図31は図29のデスクの天板の傾斜状態を示す側面図、図32は図30のデスクの別例の正面図、図33は図32のデスクに使用する天板の別例の平面図、図34は天板の他の例の平面図、図35はデスクの他の例の正面図、図36は図35のデスクの右側面図、図37は図35のデスクの平面図、図38は取出ラインに対するデスク等の配置例を示す斜視図、図39は取出ポイントに対するデスク等の配置例を示す斜視図、図40はワークブースの枠状体に形成した取出ラインに対するデスク等の配置例を示す斜視図、図41は横杆体を間仕切パネルの笠木部分に設けた斜視図、図42は横杆体を間仕切パネルの笠木部材又は上部梁を兼用するように形成した例の斜視図、図43はパネルと収納ボックスの横杆体への取付構造の一例を示す部分断面図、図44は天板の横杆体への取付構造の一例を示す部分断面図、図45は本発明装置を利用してオフィスでの業務形態の変化例を示した平面図である。
【００１６】
　図１〜図５に於て、１は、図５に例示した平断面形状を有するポール状の柱状体で、図１〜図４はこの柱状体１を主体にしてオフィスの床に配設した電源ケーブルと信号ケーブルの夫々に接続されるケーブルを収装し、収装した夫々のケーブルに接続されてこの柱状体に配設した電源用コネクタと信号用コネクタに、ＯＡ機器の電源ラインと信号ラインを接続できるようにした電源，信号ラインの取出装置の例（以下、柱状体１による電源，信号ラインの取出装置を取出ポイントPvsという）である。
【００１７】
　本発明で使用する柱状体１は、図５に例示するように、内部が矩形断面の中空の芯管1aの外周に、平断面が略十字状をなす二重壁による隔壁1bとこの二重の隔壁1b同士を二分する断面十字状の隔壁1cを設け、各壁1b，1cの外端部に部分周壁1d，1eを形成したもののほか、そのような構造を付与しない単なる支柱状の柱状体、或は、上記とは異なる壁構造を持つ柱状体を使用することもできる。
【００１８】
　柱状体１は、図５に例示した断面形状により、隣合う隔壁1b，1cが形成する断面Ｖ字状の溝が形成する夫々の空間内に、電源ケーブルVcと信号ケーブルSc、又は、いずれか一方のケーブル（以下、これらのケーブルを電源，信号ケーブルという）を、この柱状体１の外面から収納，出入れすることができる。そして、各壁1b，1cの外端部には全体として柱状体１の周壁を形成する部分周壁1d，1eが形成されているので、収納した上記ケーブルVc，Scは溝状部から逸脱し難い。なお、柱状体１の溝状部に入れた上記ケーブルVc，Scをその溝から完全に出さないようにするには、図５に仮想線で例示したように、着脱自在の溝キャップGcを装着してもよい。また、二重に形成された壁1bは、後述するパネル等の部材の係止溝として利用される。更に、各隔壁1cの外端部に形成された部分周壁1eは、後述する電源用又は信号用の夫々のコネクタCv，Csの装着部として利用される。
【００１９】
　上記構造を具備したポール状の柱状体１は、図１〜図４に例示する態様において、オフィス空間内の床下又は天井裏に敷設されている電源，通信ケーブルの取出しポイントとして形成されるので、以下、この点について説明する。図１は、柱状体１の下端に、ここでは円板状の安定板２を設けると共に、上端に、比例的小径の天板３を設けて形成した本発明による電源，信号ラインの取出ポイントの斜視図である。安定板２には、床下に既に敷設されている電源ケーブルVc及び信号ケーブルScに接続された電源，信号の各ケーブルVc，Scの取出穴2a，2bが形成され、この穴2a，2bから夫々に取出されたケーブルVc，Scが柱状体１の溝部に収装されてそのケーブルVc，Scの先端に接続されたそれぞれのコネクタCv，Csが、所望の高さに配置されている。配置できるコネクタCv又はCsの位置は、柱状体１の外周上では、４ヶ所の部分周壁1eの上であり、同一周壁上の上下方向において２個以上のコネクタCv又はCsを設けることは任意である。上記の安定板２は、柱状体１を床上に固定する場合には、小さ目の円形乃至は翼状に形成したものを使用することができる。
【００２０】
　図２は、図１に示した電源，信号ラインの取出ポイントPvsにおいて、柱状体１の周囲に、ここでは二分割タイプに形成した円筒状をなすカバー体４を、当該柱状体１に支持させて設けた例である。カバー体４は、金属板，プラスチック板，それらのパンチング穴明板等の適宜の板体により形成し、ここでは底板4aを設けて有底に形成しているが、底板4aの設定は任意である。
【００２１】
　上記カバー体４の外径は、ここでは天板３と略同径程度に形成し、柱状体１とカバー体４の間に形成される空間にそれぞれの余長ケーブルCv，Csを収納したり、これらの電源，信号ライン用の中継機材、例えば、ブースタアンプや配電箱等の必要な機器，器材Vn，Snを収納することができるように形成されている。
【００２２】
　図３は電源，信号ラインの取出ポイントPvsを形成した柱状体１を、背の高い部材により形成し、この柱状体１の下部に、比較的容積の大きな収納ボックス５，６を形成した例である。ここで、収納ボックス５は、前後に開口部5aを設けて形成し、例えばコンピュータの本体（ＣＰＵ）を収納するボックスとして利用し、また収納ボックス６は、上面を開口した有底の筺状に形成し、このボックス６の壁面と底には通線用のスリット6aと穴状の切欠き6bを設け、内部に電源，信号ラインに必要な中継機器Vn，Sn等を収装することができるように形成されている。なお、1fは柱状体１の上端に被着したドーム状のキャップである。
【００２３】
　図４は、床面から天井までの間に立設した柱状体１により、天井側に敷設されている電源，信号ラインに接続してオフィス内に電源，信号ラインの取出ポイントPvsを形成した例である。この柱状体１は、上，下端部にその芯管1aに挿装した上，下アジャスタ７，８を操作して柱状体１を天井Siと床の間で、いわゆる突張り状態で立ち姿勢を保持するようにしている。図４に示した柱状体１においても、その周囲に、収納部４，収納ボックス５，６を設けることは任意である。なお、天井側からの電源，信号ラインの取出ポイントの形成において、柱状体１は必ずしも、天板から床面までの間に突張りタイプで設けなければならない訳ではない。例えば、図示しないが、柱状体１の上端を天井面のライン取出部に固定し、該柱状体１の長さを床に届かない長さに形成することもある。この場合の柱状体１の下端は、一例として、床から70〜80cmまでの高さにする。また、床に立設した天井に届かない高さの柱状体１に、天井面から電源，信号ケーブルを導入することもある。この場合、天井から柱状体１までのケーブルを、フレキシブルチューブのようなガイド体に収めて支持することがある。
【００２４】
　図６は、上記で説明した安定板２を備えた柱状体１を、図７に一例として示した断面形状の横杆体９を用いて床に平行な面内でオフィス空間内の任意の位置に自立して敷設されることにより、電源，信号ラインの取出装置を任意のライン状に形成した本発明電源，信号ラインの取出装置の一例（以下、床に平行なライン状をなす本発明電源，信号ラインの取出装置を取出ラインLvsという）の斜視図である。
【００２５】
　本発明の電源，信号ラインの取出ラインLvsを形成する横杆体９の構成を図７により、またこの横杆体９と柱状体１の接続構造の一例を図８により説明する。
【００２６】
　図７に例示した横杆体９は、その断面において柱状体１の芯管1aと同形の芯管9aの上，下に、前記柱状体１における二重壁1bと同様の二重壁9bを突設すると共に、ここでは下方の二重壁9bから左，右に２組の壁9c，9dを突出させ、各壁9b〜9dの相互の間に、ケーブルVc，Scを収納するための溝部が形成されるようにしている。なお、9e，9fは前記壁9c，9dの先端部に設けて全体としてこの横杆体９の周壁をなすように形成した部分周壁、9gは二重壁9bの先端に形成した同旨の部分周壁、9hは二重壁9bの入口部に形成した凹陥部、9iは下位の壁9dの下面側に形成した凹陥部である。
【００２７】
　上記のような断面形状を具備して本発明電源，信号取出ラインLvsの一例を形成する横杆体９は、各壁9b〜9fにより形成された溝部が、平面からみて概ね上方を開口した溝部に形成されるので、各溝に電源ケーブルVc又は信号ケーブルScを上から投入することにより、両ケーブルVc，Scを外部からは見えないように収納することができることとなる。従って、前記両ケーブルVc，Scについて、横杆体９の任意の位置におけるケーブル先端に、コネクタCv，Csを接続し、このコネクタCv，Csを横杆体９の上の部分周壁9eに装着することにより、横杆体９の任意の位置で電源，信号ラインと適宜の電子機器等との接続をすることが可能になる。
【００２８】
　本発明の取出ラインLvsの主体となる横杆体９と先に説明した安定板２を備えた柱状体１は、一例として図８に示すような接続部材を使用して接続し、本発明電源，信号ラインの取出装置に構成される。ここで、柱状体１，横杆体９はともに、中心に同形状の芯管1a，9aを具備しているので、この芯管1a，9aに、ジョイント方向に沿って形成したジョイント部材10の両端部10a，10bを嵌入して、両部材１，９の設置方向を規定する。図８の例は、垂直に立上った柱状体１と水平に延びた横杆体９とを、90度曲げで形成したジョイント部材10で接続したものである。なお、10c，10dは芯管1a，9aに嵌入したジョイント部材10の固定ビスである。
【００２９】
　柱状体１と横杆体９は、ジョイント部材10で接続したままの状態であると、ジョイント部材10の部分に、柱状体１の溝部から横杆体９の溝部に導入される各ケーブルVc，Scがジョイント部分で外部に露出することとなり、見映えがよくない。そこで本発明では、図９に示すようなジョイント部カバー11を使用することとした。
【００３０】
　図８，図９に示したジョイントカバー11は、合成樹脂等により形成した背骨状のるフレキシブルな主骨材11aに、先略テーパ状をなし、かつ、下部が開放された略リング状の支骨材11を適当なピッチでこの主骨材11aに列設することにより形成し、主骨材11aの前，後両端部11c，11dを、柱状体１と横杆体９の二重壁1d，9gにより形成された溝に挟持させることにより、両部材１，９の接続部分をカバーするようにしている。
【００３１】
　なお、ジョイント部材10の形態としては、床から立上げられた柱状体１と床に平行に配置する横杆体９との接続用として、図10に示す態様のものがある。また、天井から床の間に立設された形態又は天井に吊下された形態の柱状体１と横杆体９との接続用としては、図11に示す形態のものがある。図10に示した各ジョイント部材において、10(a)は図８に示したジョイント部材10と同旨のもの、10(b)は横杆体９同士の直列接続用、10(c)，10(d)は立設柱状体１から水平二方向の横杆体９への接続用、10(e)は同じく三方向接続用、10(f)は同じく四方向接続用のそれぞれのジョイント部材である。図11のジョイント部材において、10(g)は立設した柱状体１に対して水平に一方向、10(h)は同じく二方向、10(i)は同じく三方向、10(j)は同じく四方向へ、それぞれ横杆体９を接続するためのジョイント部材である。
【００３２】
　上記のような柱状体１，横杆体９，ジョイント部材10等を用いてオフィス内に形成される電源，信号ラインの取出ポイントPvsと取出ラインLvsの一例を図６に拠り説明する。図６の本発明取出ラインLvsは、複数本の安定板２を備えた柱状体１と複数本の横杆体９とを、図６の左側から順に、図11のジョイント部材10(g），図10のジョイント部材10(d)，同10(a)を用いて接続することにより形成されている。図６において、図１〜図５，図７〜図11の符号と同一符号は、同一部材又は同一部分を指している。
【００３３】
　図６の本発明取出ラインLvsにおいて、図の左側下方に位置する柱状体１は、天井側の電源，信号ラインを取出して天板側に配設された上方の柱状体１の支持支柱を兼用し、横杆体９との接続部の始端として機能するように配置されている。また、図６の中間部に位置した柱状体１は、長さ方向で連接される横杆体９，９の接続部を、ジョイント部材10(d)を介して支持する中間支柱として設けられている。そして、このようにして組立てられる柱状体１と横杆体９の上，下の二重壁9bが形成する隙間状の溝には、一例としてスクリーンやパネル12，13を支持させて取付けてある。ここで、パネル13の前面に収納ボックス６が横杆体９に吊下して取付けてある。また、図示しないが、床側の電源，信号ラインが柱状体１の真下から取出せず、横杆体９の途中の床から取出される場合、取出した電源，信号ラインのケーブルは、フレキシブルチューブ等のガイド体を挿通させて横杆体９の溝部に導入する。従って、上記横杆体９の溝部はケーブルを収納する配線ダクトとして機能する。
【００３４】
　上記のパネル12は、図７に略示するように横杆体９における上位の二重壁9bに挿入して支持させているが、パネル13は下位の二重壁9bに取付けるため、一例として図30の支持構造を採る。即ち、パネル13の上部の前後両面に、二重壁9bの凹陥部9hに係止させた係止爪部材13a，13bを当てがい、この爪部材13a，13bとパネル13を貫通するビスを、この爪部材13a，13bに螺合することにより、パネル13を横杆体９の下位の二重壁2bによって吊下支持するのである。
　また、横杆体９に吊下される収納ボックス６の取付けは、図43に例示するように、当該ボックス６の背面板6cに、先端を横杆体９の凹陥部9iに係合するように曲げた吊下具6gをビス6hで止めると共に、この吊下具6gの上部前面に前記凹陥部9iに係合する爪部材6iをビス6jにより止めてなされている。収納ボックスに代え、例えば袋状の容器（図示せず）を設けて余長ケーブル等を収容するようにしてもよい。
【００３５】
　図12〜図14は、図６の場合と同様に、複数本の柱状体１と横杆体９，ジョイント部材10，カバー11などを用いて形成した電源，信号ラインの取出ラインの別例を示すもので、図12は正面図、図13は図12の平面図、図14は図12の左側面図である。これらの図12〜図14に示した取出ラインでは、図12の左側の横杆体９の上面に、当該横杆体９における上位の二重壁9bに、断面略Ｔ状の天板支持ブラケット14を支持させ、該ブラケット14の上にカンウター天板15を載架している。
【００３６】
　ブラケット14は、具体的には一例として図44に示す構造を具備している。即ち、図44において、天板15を支持する翼状部材14aの中心部下面に、横杆体９の上面の部分周壁9gに合致するスペーサ14bを介在させると共に、上位の二重壁9bの入口に形成した凹陥部9iにビス受け14cを収装し、前記翼状部材14aとスペーサ14bを貫通するビス穴を設け、この穴から入れたビス14dを前記ビス受け14cに螺入，緊締することにより、ブラケット14が形成される。従ってこのブラケット14における翼状部材14aに天板15を載架し、下面からビス14eにより天板15を前記部材14aに止着することができる。
【００３７】
　上記の取出ポイントPvsと本発明の取出ラインLvsを形成する柱状体１と横杆体９は、これらを図15に例示するように、オフィス床面に平面矩形状をなす枠状体Ｆに形成して立設し、この枠状体Ｆを、ワークブースとして使用するようにしてもよい。図15において、Cgは、このブースの四隅において、柱状体１と横杆体９における２重壁1d，9gに挟持させて取付けた透光性の樹脂ガラス、Cwは、各樹脂ガラスCgの下方に設けた巾木である。また、上記枠状体Ｆにおいて、図15に表わしていないが、柱状体１及び横杆体９には電源，信号ケーブルVc，Scが収装され、適宜位置に接続用のコネクタCv，Csを位置可変に設けられることは勿論である。
【００３８】
　以上に説明した本発明の一例の装置における電源，信号ラインの取出ポイントを形成する柱状体１、並びに、取出ラインを形成する横杆体９は、図16〜図26に例示する形態でも実施できるので、柱状体１と横杆体９の別例について図16〜図26により説明する。
【００３９】
　図16は柱状体１の別例の平断面図で、図16において図１〜図15に使用した符号と同一符号は同一部分，同一部材を指すものとする。図16に例示した柱状体１は、芯管体1aの外周に、平断面が十字状をなすように二重壁による隔壁1bを設け、各隔壁1bの外端部に部分周壁1d，1eを形成し、かつ、一方の部分周壁1eの先端部に、段付き辺1hを形成してこの辺1hと前記周壁1eの境界部に小溝1iを形成したものである。
【００４０】
　上記の断面形状により、柱状体１は、隣合う二重の隔壁1bが形成する断面90度の溝が形成する夫々の空間内に、電源ケーブルVc又は信号ケーブルScを、この柱状体１の外面から収納，出入れすることができる。そして、各隔壁1bの外端部には全体として柱状体１の周壁を形成する部分周壁1dと段付き辺1hが形成されているので、上記ケーブルVc，Scは収納された溝状部から逸脱し難い。柱状体１の溝状部に入れた上記ケーブルVc，Scをその溝から完全に出さないようにするには、対向する小溝1iに支持させて着脱自在の溝キャップ（図示せず）を装着してもよい。なお、二重に形成された隔壁1bの間は、図２，図３に例示したようにパネル1g等の部材の係止溝としても利用される。また、対向する前記小溝1iは、後述する電源用又は信号用の夫々のコネクタCv又は同Csの装着部として利用される。CbはコネクタCv又はCsの取付けベースで、前記小溝1iに遊嵌されてガイドされ柱状体１の長さ方向で、コネクタCv又はCsを自由にスライドさせて位置決めするためのものである。
　上記の断面構造を付与した図16の柱状体１は、図１〜図４に例示した態様と同様の形態、或は、図27に例示する形態において、オフィス空間内の床下又は天井裏に敷設されている電源，通信ケーブルの取出ポイントPvsとして形成される。ここで図27は、取出ポイントPvsを構成する柱状体１の安定板２にキャスタCaを設けることにより、床上に安定に配置できると共に、必要に応じて移動できるようにした例である。キャスタCaを設ける安定板２の形態は、図１〜図３，図６，図27に例示した形態以外の、例えば、矩形状，枠状の形態であってもよい。
【００４１】
　図17は、本発明装置を構成する横杆体９の別例の側断面図である。図17に例示した横杆体９は断面から視て大略Ｔ状をなす杆状支持部材91と、この支持部材91の下面側に吊下態様で連結支持される第一溝状部材92と、この第一溝状部材92を介して前記支持部材91に吊下態様で支持される第二溝状部材93とにより形成されている。
【００４２】
　図17に示した杆状支持部材91は、断面縦長矩形の芯管体91aの上部に、中央に形成した縦長の上向きの溝部91bを介して屋根形のカバー部91cを左，右に具備すると共に、この芯管体91aの下部に形成した下向きの溝部91dを具備し、かつ、芯管体91aの左，右の側面に形成した上，下で対向する小溝91eを具備して形成されている。
【００４３】
　図17の第一溝状部材92は、その底部下面に垂下形成した前記芯管体91aと同幅の溝部92aと、この溝部92aの上部に形成した断面略凹状をなす樋部92bを具備して形成されている。ここで、溝部92aは、側面の上下に形成した上記小溝91eと同旨の対向する小溝92cを具備し、また樋部92bは、底壁92dと側壁92eを具備している。
【００４４】
　図17の第二溝状部材93は、その底部上面に突出形成した略凸状をなす輪郭を有する溝部93aと、この溝部93aの左右側に突出させて弯曲形成した左右の底壁93c，93c、及び、両底壁93cから立上げて形成した左右の側壁93d，93dを具備した樋部93bとから形成されている。
【００４５】
　上記の支持部材91と第一，第二の溝状部材92，93とは、棒状の杆体94aが第一溝状部材92の溝部92aを貫通し、この杆体94aの上，下端部94b，94cが前記支持部材91の下方の溝部91dと第二溝状部材93の溝部93aとに嵌合して支持される棒状の連結部材94、及び、各部材91〜93の相互の間隔を規制する２つのスペーサ95a，95bとによって図17に例示する態様で結合一体化されて横杆体９の別例に構成されるのである。
【００４６】
　横杆体９を図示17に例示した断面形態とすることにより、２つの溝状部材92，93により形成されるケーブル収納ダクト、即ち配線ダクトとなる樋部92b，93bを大きな容量に形成し易くなると共に、芯管体91aの両側面や溝部92aの両側面に形成した上下で対向する小溝91e，91e、或は、同92c，92cに、電源用又は信号用のコネクタCv又はCsを、溝状部材92，93の内部から外方へ突出させることなく、その取付けベースCbを介してスライド自在に装着でき、かつ、この状態で樋部92b，93bにケーブルの出入れを自由に行うことが可能になる。
【００４７】
　図17に示した横杆体９においては、支持部材91における下向きの溝部91dの底面を球状断面に、また第二溝部材93の溝部93aの上部内面を球状断面にそれぞれ形成し、これらの溝部91d，93aに収まる連結部材94の上，下端部94b，94cを前記球状断面に対応する球状面に形成することにより、連結部材94を溝部91dに対し図17の左右に揺動させ、また第二溝状部材93を連結部材94の下端において図の左右に揺動させること可能になるので、各樋部92b，93bに収納するケーブルやコネクタの出入れの際に、前記揺動を利用して出入口を拡大することができ、便利である。
【００４８】
　上記のケーブルやコネクタの樋部92b，93bへの取入れ容易性を得るには、第一，第二溝状部材92，93における底壁92d，93cと側壁92e，93dとの境界部を弾力的に形成してこの部にヒンジ機能を持たせたり、或は、両壁をヒンジを介して接続することにより、それぞれの側壁92e，93dが外側へ開放でき、不要時には直立するようにしてもよい。図22は、第二溝状部材93の底壁93cと溝部93aの境界をヒンジ93eに形成すると共に、側壁93dを延長形成してその上端と第一溝状部材92の側壁92eの下端の間に、開閉自在のロック93fを形成したものである。この構成は、第一溝状部材92に適用してもよい。溝状部材92，93を図22に示した側壁構造とするときは、コネクタCv，Csを、その側壁92d，93dに取付けるようにすることが望ましい。
【００４９】
　本発明では、図17の横杆体９の別例において、杆状支持部材91と２つの溝状部材92，93とを連結する棒状の連結部材94を、図示しないが、伸縮構造とし、溝状部材92，93の樋部92b，93bの出入口を拡縮できるようにして、これらの樋部92b，93bに対するケーブルCv，Csの出入れを行い易くすると共に、収容するケーブルCv，Csの量が多く大容量化しても、各部材91〜93の間の隙間を大きくして対応できるようにすることができる。このような対応は、杆状支持部材91と溝状部材92と同93とを、前記棒状の連結部材94が配置される位置において、パントグラフ状のリンク部材を介して連結することによっても可能であり、こうすることにより各部材91〜93間の相互の隙間を、任意の間隔に自由に調節できる。上記の２つの溝状部材92，93は、図23に例示するように、いわゆる入れ子構造にし、ここでは、大形に形成した下方の溝状部材93の内部に、小形断面の溝状部材92を収容して配設することにより、外見上、一方の溝状部材93のみしか見えないようにして、横杆体９をスマートな形態に形成することができる。図23において、図22と同一部材，同一部分は同一符号で示す。一方、上記構成によってもケーブルCv，Csが樋部92b，93bに収まり切れない場合、或は、それとは無関係に、余長ケーブルCv，Csを収納するための容器を設けたり、コードリールを設けたり、或は、シート状の覆板を設けることができる。図24，図25は、コードリールCrを柱状体１の溝にその取付ブラケットRbを介して取付ると共に、２枚のシート状覆板Cpを第二溝状部材93の底壁下面に、この部材93と平行に垂下させて設けた例を示している。
【００５０】
　図16，図17に例示した本発明装置に用いる柱状体１と横杆体９は、一例として図18に示すようなジョイント部材10を用いて連結することにより、図20に例示するような電源，信号ラインの取出ポイントと取出ラインを具備した本発明装置に形成されるので、次にこの連結について説明する。
【００５１】
　図18におけるジョイント部材10は、図16の柱状体１の芯管体1aに密嵌固定される縦部材10vと、図17の横杆体９の芯管体91aに嵌入して固定される水平部材10hであって、ここでは90度の平面角度で縦部材10vの上部に連結された２本の水平部材10hにより形成されている。そして図16の柱状体１の中央芯杆体1aに嵌入されて固定ビス10xにより縦部材10vが固定されるジョイント部材10の２本の水平部材10hに、図17で示した断面形態の横杆体９が、その支持部材91の芯管体91aを嵌入し、固定ビス10yにより固定することにより、図20に例示する形態の電源，信号ラインの取出ポイントと取出ラインを具備した本発明取出装置の例に構成されるのである。上記連結部には、キャップ状のカバー11′を装着する。カバー11′は、柱状体１と略同外径の天蓋11′eを有する筒体により形成すると共に、周壁上に、ジョイント部材10の水平部材10hを遊挿できる切欠11′fが形成されている。この切欠11′fには、不要時には着脱自在の蓋11′gが装着されている。
【００５２】
　ジョイント部材10による柱状体１と横杆体９との連結において、例えば、ジョイント部材10の縦部材10vを円形断面に形成し、柱状体１における芯杆体1aの中央穴に回転可能に嵌合させれば、このジョイント部材10の水平部材10hに連結される横杆体９の平面配向角を任意の角度に配向させることが可能になる。この配向自在の機能は、図26に例示するように、ジョイント部材10の構成において、縦部材10vの上端にリング状の溝10rを周設すると共にその中心に雌ネジを形成したネジ受け部10sを立設形成する一方、水平部材10hの先端を、前記リング状溝10rの縁に係止される鉤状の係止部10tに形成し、この鉤状係止部10tを、水平部材10hの平面角を任意に選択して前記溝10hの縁に係止させ、係止された該係止部10tを前記ネジ受け部10sに螺合し緊締される押えネジ10uの頭部10pによって押圧することにより、横杆体９と結合された水平部材10hをその横杆体９と一体に任意の平面配向角で柱状体１に結合することができる。上記は柱状体１と横杆体９の結合部には、図18，図19に例示するカバー11′が装着される。図19のカバー11′は、図18のカバー11′の別例であって、柱状体１の芯管体1aに挿入される主杆11′hと、この主杆11′hの上端に形成した冒体11′iと冒体11′iの周上に互に隙間を介して垂下した多数の支杆11′jとから形成されており、支杆11′jの隙間からケーブルを出入れしたり、ジョイント部材10の水平部材10hを逃げるようにしている。
【００５３】
　また、ジョイント部材10の水平部材10hに対して連結される横杆体９を前記水平部材10hの長さ方向に関し進退可能に連結することにより、例えば、柱状体１の立設位置に対しわずかに長さが足りない横杆体９であっても、その柱状体１に連結することが可能になるので、柱状体１の立設位置と横杆体９の長さとが整合しない場合の連結に有用である。柱状体１と横杆体９とが隙間を介して連結される場合、その隙間をカバーできるカバー体を隙間部分に装着すれば、見映えも悪くならない。
【００５４】
　上記の機能は、本発明装置の取出ラインを形成する横杆体９を伸縮自在の構造としても得られる。図28は図17に例示した横杆体９伸縮自在の構造にする例の斜視図である。図28においては、横杆体９の伸縮構造は一例として次のように構成されている。即ち、横杆体９を構成する杆状支持部材91と２つの溝状部材92，93を、これらを柱状体１に連結するためのジョイント部材10に結合される基部側9Bと、この基部側9Bに伸縮可能に接合される接続側9Eとに分割すると共に、基部側9Bの各部材91〜93の端部に、それらの断面より少し小さい断面の連結部91J，92J，93Jを各部材91〜93に支持させて突出形成し、この突出した各連結部91J〜93Jに、夫々に対応する接続側9Eの各部材91〜93を、スライド可能にインサートして連結しておくのである。横杆体９をこのように形成すると、連結部91J〜93Jの有効長さの範囲で横杆体９の全長を伸縮調節することができる。また、柱状体１を上記横杆体９と同様の構造、又は、他の構造によって縮自在構造にすると、取出ラインを形成する横杆体９の床面からの高さを任意の位置に設定できるのでオフィス設備システムとしての配設形態の範囲を、前記横杆体９の伸縮自在機能と相俟って効果的に拡大することができる。
【００５５】
　図21は、本発明装置を構成する取出ラインLvsを、２列平行にオフィスの床上に敷設し、この２本の取出ラインLvs-1とLvs-2を、背の高い門型に形成した取出ラインLvs-3により接続した形態の取出ラインの斜視図である。このような取出ラインの形態を採ると、床又は天井の１箇所からしか取出せない電源，信号ラインであっても、２列以上の取出ラインLvs-1，Lvs-2を形成できると共に、接続用の背が高い門型の取出ラインLvs-3が、人の往来や他の設定ラインの邪魔になることはない。
【００５６】
　上述の電源，信号ラインの取出ポイントPvsと本発明の取出ラインLvsは、それらの構成部材である柱状体１や横杆体９に、収納ボックス６，パネル12，13，天板15などを支持させて、オフィス用設備の構成部材の一部としての機能を発揮させるように形成することができ、しかも、その柱状体１や横杆体９における任意の箇所で電源，信号ラインの取出しが可能であるから、この電源，信号ラインの取出ポイントPvs，取出ラインLvsと、移動可能に形成した種々のデスクによって、図38〜40に例示するように、より自由なオフィス空間内での設備の配置を実現できることとなる。そこで、上記のような電源，信号ラインの取出ラインLvs、或は、取出ポイントPvsと組合せた取出ラインLvsに組合せて使用するのに好適なデスクの例について、図29〜図37により説明する。
【００５７】
　図29〜図31はデスクD1を示すもので、これらの図において、16は水平な足16aとその中間部に立設した支柱16bにより側面略逆Ｔ状に形成し、その２本を左右平行に並べ、左右の支柱16bの上端を梁部材17で連結することによって、正面視略門型をなすように形成した脚フレームである。左右の支柱16bは、いずれも、油圧式，空圧式，機械式いずれかの手段により昇降するようにした内支柱16cを具備しており、梁部材17は、この左，右の内支柱16c間に架設されている。
【００５８】
　上記梁部材17には、左右側に天板19の前後傾斜角の調節機構を内蔵した天板支持アーム18，18が設けられ、天板19は、この左右のアーム18の手前側に枢着されている。18a，18aはアーム18，18の先端と天板19の中間部の下面の間に架設した傾斜角調節シリンダである。
【００５９】
　上記脚フレームにおける足16aの下面には、デスクの移動と固定を選択的に記能させるキャスタ16dとアジャスタ16eが設けられている。ここで、キャスタ16dにはボールキャスタを使用すると共に、アジャスタ16eは前記ボールキャスタを中心部に内装したリング状のものが使用され、アジャスタ16eの正逆回転によって、キャスタ16dを接地させるか、アジャスタ16eの下面を接地させるかのいずれかを選択するように形成されており、以上により本発明で使用するデスクD1の一例を形成する。
【００６０】
　上記脚フレームに支持させる天板19の平面形状は、基本的には長方形乃至は四辺形であるが、左，右の一方の側、又は、双方が円弧状の側縁に形成されたデスクD1′（図38参照）、或は、四辺形が全体として弯曲された形状のものなど、異形の長方形であってもよい。また、デスクD1は左，右の脚16のうち一方の脚16の足16aを円板状の足（図示せず）で形成したデスクもある。なお、16fは内支柱16cの昇降操作用ハンドル、18bは天板角度変更用の操作用ハンドルである。
【００６１】
　図32〜図34はデスクD2の例を示すもので、20は平面視略星形状をなす足20aに昇降（伸縮）自在に組合せたテレスコピック状の支柱20b，20cを立設した脚フレームで、内支柱20cの上端に、基本的に円形天板21を載架した構成である。各足20aの先端下面には、先の例と同様のボールキャスタ20dと、このキャスタ20dを内装したリング状のアジャスタ20eが設けられ、デスクD2の移動，定置が選択できるようになっている。20fは支柱昇降の操作ハンドルである。ここで、足20aは、平面視略星形のものを使用したが、円板状のものであってもよい。また、このデスクD2の天板は図33，図34の平面図に示すように、円形天板の一側を直線辺22aに截断した形状の天板22、或は、天板の一半側を90度コーナ部を有する直線辺23aに形成した形状の天板23など、外周辺の一部に直線辺を形成した天板を用いたものがある。
【００６２】
　図35〜図37は、デスクD3を例示するもので、図35は正面図、図36は図35の右側面図、図37は図35の平面図である。このデスクD3では、脚フレーム24に平面視逆Ｖ字状で開き角が略90度の２本足24aを使用し、昇降自在に組合せたテレスコピック状の支柱24b，24cが前記足24aの略交点上に立設されている点が、これまでのデスクD1，D2の脚フレーム16，20と異なっている。そして、この内支柱24cの上端に設けた天板角傾斜機構25の上に、平面視略１／４円弧状の天板26を載架して、このデスクD3は構成されている。なお、24dはボールキャスタ、24eはリング状アジャスタである点は、先のデスクD1，D2の場合と同旨である。また、24fは高さ調節用の操作ノブ、25aは天板26の角度調節用の操作ノブである。
【００６３】
　このデスクD3は、その天板26，足24aの平面形状から、複数のデスクD3を突合せ状態で対向的、或は、ほぼ花弁状をなすように配置することができる。これにより、デスクD3は後述する小会議や打合せコーナ用のデスクとして使用するのに好適である。もっとも、デスクD3において、天板26は１／４円弧状のものに限られる訳ではない。矩形や円形であっても何ら支障はない。また、このデスクD3は、図示しないが脚フレーム24における支柱24bの前面に、パンチングプレスしたパネルや収納ボックスを、必要に応じて取付けることができるように形成されている。
【００６４】
　以上に説明した本発明装置における電源，信号ラインの取出ラインLvs、或は、このラインLvsと取出ポイントPvsに対して、上記の各デスクD1〜D3は、図38〜40に例示する形態において、電源，信号の取出ラインLvsに沿って自由に移動させて配置することにより、オフィスにおける様々なワークブースに構成されるので、以下、この点について説明する。
【００６５】
　図38においては、前記柱状体１と横杆体９の組合せにより床に平行に配置された取出ラインLvs、或は、柱状体１により形成される取出ポイントPvsに対して、上記で説明したデスクD1，D1′，D2を配置した例が示されている。
【００６６】
　取出ラインLvsに沿って、デスクD1を、その天板19の長辺側を当接乃至させ、このデスクD1にデスクD1′を直交する向きで並べ一つのワークブースを形成している。このデスクD1，D1′は、取出ラインLvsに沿って、自由に位置を変え、また、配向も自由に設定することができる。デスクD1，D1′の移動は、その足16aのアジャスタ16eを回転させて内部のボールキャスタ16dを接地させることにより、軽い労力により容易かつ自由に行うことができる。また、デスクD1，D1′を移動させても取出ラインLvs上の複数個所には、必要なコネクタがそれ自体移動可能に設けられているので、デスクD1，D1′上で使用する電子機器等の電源，信号ラインは、特別の配線等を要することなく、前記コネクタに直ちに接続することができる。
【００６７】
　取出ポイントPvsに対しては、図38に例示するように、ここでは２本のデスクD1，D2を組合せ、両デスクを前記ポイントPvsを挟んで配置し、小規模のワークブースが形成されている。ここで、デスクD1の天板19は事務作業用のスペースとして、デスクD2の天板、22はＯＡ機器を載置したコンピュータ作業スペースとして形成されている。このため、天板22は天板19よりも高く位置付け、天板22を天板19に一部オーバハングさせて配置し、前記２種の作業を、椅子Chを回転させて身体の向きを変えるだけで、選択的に行うことができるようにしている。図38，図39においてCptはCRTを含むコンピュータ本体又はCRT、Kbはキーボードである。
【００６８】
　また、図40に例示するように、柱状体１と横杆体９とを組合せて形成した平面矩形状の枠状体Ｆで形成したブース内に、図３の背の高い柱状体１を使用した取出ポイントPvsを配置し、このポイントPvsに各柱状体１を中心にして図33〜図35に例示したデスクD3を、その天板26を手前側下りに少し傾けて原稿台として、或は、ラップトップタイプのパソコンを置けるようにして、適宜配置することにより、いわゆる立ち会議コーナ等のように立ったままでオフィスワークを行うブースを形成することができる。この場合に使用するデスクD3も、移動，定置は自由にできるから、会議等が終了すれば、自分の使用したデスクD3を片着けるなどして、残った取出ポイントPvsを中心とする他の目的のコーナを、先のデスクD3、或は、他のデスクD1，D2等を取出ポイントPvs、或は、このブースの枠状体Ｆを形成している柱状体１又は横杆体９に対して配置することにより、容易に形成することができる。なお、図40において、Rsは遮蔽パネルとして設けたロールスクリーンである。
【００６９】
　以上に説明した本発明における電源，信号ラインの取出装置は、それを形成する横杆体９を、図41，図42に例示する間仕切パネルにおける笠木又は巾木、或は、それらの同等部材として適用できるので、次にこの点について説明する。
【００７０】
　図41は、デスクD1の天板19の高さより少し高い程度の高さに形成された間仕切パネルPtにおいて、その笠木部材Ubの片面又は両面に、断面略樋状をなす横杆体9Lを柱状体１となる側枠に支持させて配設し、この横杆体91の任意の位置に電源，信号ケーブルのコネクタCv又はCsを長さ方向で位置可変に配置した例である。図41においてBbは巾木、Spは間仕切パネルPtの上に形成配置した遮蔽パネル、Lpは該パネルSpの一方に設けた棚板である。
【００７１】
　図42は，図41の間仕切パネルPtにおいて、当該パネルPtの上部に、そのパネルPtの笠木部材Ubを兼用してコネクタCv又はCsを具備する横杆体9Lを設けた例である。図40において、図41と同じ符号は同一部を指すものとする。
【００７２】
　一方、図45は、図21に例示した門型の取出ラインLvs-3を介して接続した、或は、夫々に独立して平行に並べた２本の取出ラインLvs-1，Lvs-2の間に夫々にデスクD1をメインデスクとし、デスクD3を補助デスクとして配置した、ここでは８人用のワークブースの使用形態を示した平面図で、図45の(a)は、各個人が夫々のブースにおいて執務している状態を示し、図45の(b)は、各人が補助デスクD3を移動させてミーティングの場所を２箇所形成した例である。このように、本発明装置を利用すると、各個人の執務空間とミーティング空間の切換え設定を、随時、容易に実行することができる。
【００７３】
　上述した本発明の取出ラインLvs、或は、取出ポイントPvsと組合せた取出ラインLvsに対して任意に配置した各デスクD1〜D3は、いずれも、従来デスクのような配線ダクトや配線取出口が全く設けられず、また、その天板の高さ、或は、その天板の傾きを、使用する者の好みや、ワーク形態や内容に適したように、自由に変更，設定することができるように構成したので、構造が簡単で軽量に作製できて移動させるのに便利であり、使い勝手の面、或は、疲れ難いといった面からもきわめて好ましい機能を具備したものである。
【００７４】
　また、上記の各デスクD1〜D3は、従来の固定配置タイプのデスクに比べ、そのデスクと一体の袖キャビネットを設けず、また、センター抽出も原則として設けないので、上記の配線ダクトが設けられないことと相俟って重量が大きくならず、移動が容易であるほか、固定収納部がないので、不特定複数の者が共用する上でも、便利である。
【産業上の利用可能性】
【００７５】
　本発明は以上の通りであって、オフィス空間内に、そこで使用するＯＡ機器の電源，信号ラインを自由に離接することができる電源，信号ラインを形成するケーブルを収納するように形成した横杆体による配線ダクトを前記電源，信号の取出ラインとして配設したので、この取出ラインに対し、例えば天板の高さを自由に設定できるように形成した天板の大きさが種々異なるデスク等を選択し、かつ、選択したデスク等を自由な配向で任意の位置に移動させて配置することにより、種々のワーク形態に対応するためのワークブースを、任意かつ容易に形成することができる。そして、どのような形態のワークブースが形成されても、そこで使用するＯＡ機器の電源，信号ラインを、特別な配線工事やそのつどの配線手配などを要することなく直ちに接続することができるという、格別の効果が得られる。
【００７６】
　また、取出ラインの一例を形成する横杆体は、ライン状の開口を有する溝を形成することにより、ケーブルの収納とコンセント等のコネクタを取付けることができるように形成したので、ケーブルの出入れが容易であるほか、コンセントを前記溝の長さ方向で自由に移動させることができ、従って、本発明取出ラインに沿って配置されるデスク等の上で使用するＯＡ機器の電源，信号ラインを、容易に接続することができる。
【００７７】
　更に、本発明の取出ラインの別例を形成する横杆体を、杆状支持部材とこの支持部材に支持させて配置される溝状部材とにより形成することにより、電源ケーブルと信号ケーブルを分けて前記溝状部材に収容できてその出入れも容易にできるのみならず、収容するケーブル量が多くても、コネクタも併せて溝状部材の内部に収容でき、これらが外部にはみ出すことなく溝状部材の中に収容することができることになるので見映えもよく、特に、ケーブルを溝状部材にいわゆる投げ込み配線できるという効果が得られる。
【図面の簡単な説明】
【００７８】
【図１】電源，信号ラインの取出ポイントを形成する柱状体の第一例を示す斜視図。
【図２】電源，信号ラインの取出ポイントを形成する柱状体の第二例を示す斜視図。
【図３】電源，信号ラインの取出ポイントを形成する柱状体の第三例を示す斜視図。
【図４】電源，信号ラインの取出ポイントを形成する柱状体の第四例を示す斜視図。
【図５】図１〜図４に使用した柱状体の平断面図。
【図６】図１〜図４に例示した柱状体と図７に断面を示した横杆体の組合せにより形成した本発明電源，信号ライン取出装置の一例を示す斜視図。
【図７】図６の横杆体の側断面図。
【図８】柱状体と横杆体の接続構造の一例を示す側面図。
【図９】ジョイントカバーの側面図。
【図１０】ジョイント部材の形態例を示す斜視図。
【図１１】ジョイント部材の形態例を示す斜視図。
【図１２】本発明電源，信号ラインの取出装置の別例の正面図。
【図１３】図12の平面図。
【図１４】図12の左側面図。
【図１５】図１〜図５で説明した柱状体と図７の横杆体により平面矩形状のワークブースの枠状体に形成した電源，信号ラインの取出装置の別例の斜視図。
【図１６】本発明装置における柱状体の別例の平断面図。
【図１７】本発明装置における横杆体の別例の側断面図。
【図１８】図16の柱状体と図17の横杆体の結合形態の一例を説明するための斜視図。
【図１９】柱状体と横杆体の他の例の結合形態を示す斜視図。
【図２０】図16の柱状体と図17の横杆体とを組合せて形成した本発明取出装値の他の形態を例示した斜視図。
【図２１】本発明電源，信号ラインの取出装置の他の例を示した斜視図。
【図２２】図17の横杆体における溝状部材の側面を開閉自在の蓋構造にした例の断面図。
【図２３】横杆体の２つの溝状部材を入れ子式構造とした例の断面図。
【図２４】図18に示した本発明取出装置に、余長コード収納用のコードリールとシート状覆板を配備した例の斜視図。
【図２５】図24のコードリールの取付態様の一例の要部を示す平断面図。
【図２６】柱状体と横杆体の結合において、横杆体の平面配向角を任意の角度に設定できる構造の一例を示す斜視図。
【図２７】図16の柱状体の安定板にキャスタを設け、当該柱状体を移動，安定可能に構成した例の斜視図。
【図２８】図18に示した本発明装置における横杆体を伸縮自在の構造にした例の斜視図。
【図２９】本発明電源，信号ラインの取出装置に対して使用するデスクの一例の正面図。
【図３０】図29の左側面図。
【図３１】図29のデスクの天板の傾斜状態を示す側面図。
【図３２】図30のデスクの別例の正面図。
【図３３】図32のデスクに使用する天板の別例の平面図。
【図３４】天板の他の例の平面図。
【図３５】デスクの他の例の正面図。
【図３６】図35のデスクの右側面図。
【図３７】図35のデスクの平面図。
【図３８】取出ラインに対するデスク等の配置例を示す斜視図。
【図３９】取出ポイントに対するデスク等の配置例を示す斜視図。
【図４０】ワークブースの枠状体に形成した取出ラインに対するデスク等の配置例を示す斜視図。
【図４１】横杆体を間仕切パネルの笠木部分に設けた斜視図。
【図４２】横杆体を間仕切パネルの笠木部材又は上部梁を兼用するように形成した例の斜視図。
【図４３】パネルと収納ボックスの横杆体への取付構造の一例を示す部分断面図。
【図４４】天板の横杆体への取付構造の一例を示す部分断面図。
【図４５】本発明装置を利用してオフィスでの業務形態の変化例を示した平面図で、(a)は個人別業務形態の例、(b)は２グループに分かれたミーティングの例をそれぞれ示す平面図。
【符号の説明】
【００７９】
　１　　　　柱状体
　1a　　　　芯管
　1b，1c　　隔壁
　1d，1e　　部分周壁
　1f　　　　ドーム状のキャップ
　２　　　　安定板
　2a　　　　取出穴
　３　　　　天板
　４　　　　カバー体
　4a　　　　底板
　５，６　　収納ボックス
　5a　　　　開口部
　6a　　　　スリット
　6b　　　　切欠
　７，８　　アジャスタ
　９　　　　横杆体
　9a　　　　芯管
　9b　　　　二重壁
　9c，9d　　壁
　9e，9f　　部分周壁
　9g　　　　二重壁9b先端の部分周壁
　10　　　　ジョイント部材
　10c，10d　固定ビス
　11　　　　カバー
　11a　　　 主骨材
　12，13　　パネル
　14　　　　天板支持ブラケット
　15　　　　カウンター天板
　16　　　　脚フレーム
　16a　　　 水平な足
　16b　　　 支柱
　16c　　　 左，右の内支柱
　16d　　　 キャスタ
　16e　　　 アジャスタ
　16f　　　 昇降操作用ハンドル
　17　　　　梁部材
　18　　　　支持アーム
　18a　　　 傾斜角調節シリンダ
　18b　　　 天板角度変更用の操作ハンドル
　19　　　　天板
　20　　　　脚フレーム
　20b，20c　テレスコピック状の支柱
　20d　　　 キャスタ
　20e　　　 アジャスタ
　20f　　　 支柱昇降の操作ハンドル
　21　　　　円形天板
　22　　　　截断した形状の天板
　23　　　　コーナ部に形成した形状の天板
　24　　　　脚フレーム
　24a　　　 ２本足
　24b，24c　テレスコピック状の支柱
　24d　　　 ボールキャスタ
　24e　　　 リング状アジャスタ
　24f　　　 高さ調節用操作ノブ
　25　　　　天板角傾斜機構
　25a　　　 天板26の角度調節用のノブ
　26　　　　平面視略１／４円弧状の天板
　D1〜D3　　デスク
　Vc　　　　電源ケーブル
　Sc　　　　信号ケーブル
　Gc　　　　溝キャップ
　Cv，Cs　　コネクタ
　Vn，Sn　　中継機器，器材
　Pvs　　　 取出ポイント
　Lvs　　　 取出ライン
【図１】
2004140998.tif 000003
【図２】
2004140998.tif 000004
【図３】
2004140998.tif 000005
【図４】
2004140998.tif 000006
【図５】
2004140998.tif 000007
【図６】
2004140998.tif 000008
【図７】
2004140998.tif 000009
【図８】
2004140998.tif 000010
【図９】
2004140998.tif 000011
【図１０】
2004140998.tif 000012
【図１１】
2004140998.tif 000013
【図１２】
2004140998.tif 000014
【図１３】
2004140998.tif 000015
【図１４】
2004140998.tif 000016
【図１５】
2004140998.tif 000017
【図１６】
2004140998.tif 000018
【図１７】
2004140998.tif 000019
【図１８】
2004140998.tif 000020
【図１９】
2004140998.tif 000021
【図２０】
2004140998.tif 000022
【図２１】
2004140998.tif 000023
【図２２】
2004140998.tif 000024
【図２３】
2004140998.tif 000025
【図２４】
2004140998.tif 000026
【図２５】
2004140998.tif 000027
【図２６】
2004140998.tif 000028
【図２７】
2004140998.tif 000029
【図２８】
2004140998.tif 000030
【図２９】
2004140998.tif 000031
【図３０】
2004140998.tif 000032
【図３１】
2004140998.tif 000033
【図３２】
2004140998.tif 000034
【図３３】
2004140998.tif 000035
【図３４】
2004140998.tif 000036
【図３５】
2004140998.tif 000037
【図３６】
2004140998.tif 000038
【図３７】
2004140998.tif 000039
【図３８】
2004140998.tif 000040
【図３９】
2004140998.tif 000041
【図４０】
2004140998.tif 000042
【図４１】
2004140998.tif 000043
【図４２】
2004140998.tif 000044
【図４３】
2004140998.tif 000045
【図４４】
2004140998.tif 000046
【図４５】
2004140998.tif 000047